(57)【要約】【課題】画像と音声とを楽しむことができるようにしたキーホルダーであって、例えば、販促品として配布され、あるいは卒業、卒団、定年等を記念する記念品、引き出物等として贈呈されるに適した安価なキーホルダーを提供する。【解決手段】ケース本体１にはキー保持手段３を備えさせ、該ケース本体内には画像と音声とのデータを記憶するメモリと、該メモリからの音声のデータを出力するスピーカ７と、バッテリとを配設し、該ケース本体の外面には該メモリに記憶させた画像を電気的に表示する液晶ディスプレイ１９を備えさせたことを特徴とするキーホルダー。【選択図】図１
0003173112.tif 000002
【実用新案登録請求の範囲】
【請求項１】
ケース本体にはキー保持手段を備えさせ、
該ケース本体内には画像と音声とのデータを記憶するメモリと、該メモリからの音声のデータを出力するスピーカと、バッテリとを配設し、
該ケース本体の外面には該メモリに記憶させた画像を電気的に表示する液晶ディスプレイを備えさせたことを特徴とするキーホルダー。
【請求項２】
前記ケース本体には発電を行うソーラーパネルを接続可能に備えさせ、前記バッテリは該ソーラーパネルが発電した電力により充電されることを特徴とする請求項１に記載のキーホルダー。
【請求項３】
前記ケース本体の外面には印刷を施した印刷部を設けたことを特徴とする請求項１又は２に記載のキーホルダー。
【考案の詳細な説明】
【技術分野】
【０００１】
本考案は、キーホルダーに関するものであり、特に、画像と音声とを楽しむことができるようにしたキーホルダーに係るものである。本考案によるキーホルダーは、例えば、販促品として配布され、あるいは卒業、卒団、定年等を記念する記念品、引き出物等として贈呈される。
【背景技術】
【０００２】
画像と音声とを楽しむことができるようにしたキーホルダーは、従来存在しない。
【０００３】
メモリに記憶されている画像データを表示部に表示するようにしたデジタルフォトフレームは、例えば特開２００１−６７００４号公報等により、開示されている。
【先行技術文献】
【特許文献】
【０００４】
【特許文献１】特開２００１−６７００４号公報
【考案の概要】
【考案が解決しようとする課題】
【０００５】
本考案は、画像と音声とを楽しむことができるようにしたキーホルダーであって、例えば、販促品として配布され、あるいは卒業、卒団、定年等を記念する記念品、引き出物等として贈呈されるに適した安価なキーホルダーを提供しようとしてなされたものである。
【課題を解決するための手段】
【０００６】
上記課題を解決するために、本考案は、下記のキーホルダーを提供するものである。
【０００７】
（１）ケース本体にはキー保持手段を備えさせ、
該ケース本体内には画像と音声とのデータを記憶するメモリと、該メモリからの音声のデータを出力するスピーカと、バッテリとを配設し、
該ケース本体の外面には該メモリに記憶させた画像を電気的に表示する液晶ディスプレイを備えさせたことを特徴とするキーホルダー（請求項１）。
【０００８】
（２）前記ケース本体には発電を行うソーラーパネルを接続可能に備えさせ、前記バッテリは該ソーラーパネルが発電した電力により充電される（請求項２）。
【０００９】
（３）前記ケース本体の外面には印刷を施した印刷部を設ける（請求項３）。
【考案の効果】
【００１０】
［請求項１の考案］
請求項１の考案によるキーホルダーは、メモリに記憶させた画像のデータを液晶ディスプレイに表示させ、メモリに記憶させた音声をスピーカに出力させることにより、画像と音声とを楽しむことができる新規なものである。すなわち、キーホルダーを携帯することにより、使用者は、随時、所望の場所で好みの画像と音声とを楽しむことができる。したがって、このキーホルダーは、販促品として配布され、あるいは卒業、卒団、定年等を記念する記念品、引き出物等として贈呈されるに適したものである。また、このキーホルダーは、安価に提供することができるため、少人数のグループでも独自の記念品等として注文することができる。
【００１１】
［請求項２の考案］
請求項２の考案によるキーホルダーは、ケース本体には発電を行うソーラーパネルを接続可能に備えさせ、ケース本体内のバッテリは該ソーラーパネルが発電した電力により充電されるため、このキーホルダーは維持費の面でも有利である。
【００１２】
［請求項３の考案］
請求項３の考案によるキーホルダーは、ケース本体の外面に印刷部を設けているため、キーホルダーの使用目的に応じて、独創性のある所望の印刷を施すことができる。
【図面の簡単な説明】
【００１３】
【図１】図１は、本考案によるキーホルダーの一例を示す斜視図である。
【図２】図２は、同上キーホルダーの正面図である。
【図３】図３は、同上キーホルダーの背面図である。
【図４】図４は、同上キーホルダーの内部を概略的に示す断面図である。
【考案を実施するための形態】
【００１４】
符号１に示すものは、キーホルダーのケース本体である。ケース本体１は、例えばＡＢＡ樹脂、アルミニウム等の軽量かつ強靭な材料により携帯に適した大きさの箱状に形成する。
【００１５】
ケース本体１にはキー保持手段３を備えさせる。図示の事例においては、キー保持手段３として、ケース本体１に係止部３ａを設け、該係止部３ａにチェーン３ｂを介してキー保持環３ｃを取り付けている。
【００１６】
ケース本体１内には画像と音声とのデータを記憶するメモリ５と、該メモリ５からの音声のデータを出力するスピーカ７と、バッテリ９とを配設する。符号１１に示すものはコントローラチップ、符号１３に示すものは逆電流防止保護回路、符号１５に示すものはインターフェイスである。メモリ５と、コントローラチップ１１と、逆電流防止保護回路１３と、インターフェイス１５は、メイン基板１７に取り付けられている。
【００１７】
ケース本体１の外面にはメモリ５に記憶させた画像を電気的に表示する液晶ディスプレイ１９を備えさせる。液晶ディスプレイ１９は、好ましくは、表面に透明な薄いアクリル板（図示せず。）を備えている。
【００１８】
ケース本体１の裏面には電源のオン／オフ状態を切り替える電源スイッチ２１と、画像の表示及び音声の出力を設定・調整するための操作用ボタン２３、２５とを備えさせる。
【００１９】
ケース本体１には、好ましくは、発電を行うソーラーパネル２７を接続可能に備えさせ、前記バッテリ９は該ソーラーパネル２７が発電した電力により充電されるようになす。なお、バッテリ９は充電可能なものを使用する。
【００２０】
ソーラーパネル２７は、インターフェイス１５を介してバッテリ９に接続される。なお、該インターフェイス１５は、パソコン等から画像と音声とのデータを入力する際にも使用される。
【００２１】
前記逆電流防止保護回路１３は、ソーラーパネル２７が発電した電力によりバッテリ９を充電する際に、逆電流が発生することを防止するための保護回路である。
【００２２】
ケース本体１の外面には、好ましくは、印刷を施した印刷部２９ａ、２９ｂを設ける。印刷部２９ａ、２９ｂには、キーホルダーの使用目的に応じて、例えば、文字、図形、記号等の独創性のある印刷を施すことができる。
【符号の説明】
【００２３】
１  ケース本体
３  キー保持手段
３ａ  係止部
３ｂ  チェーン
３ｃ  キー保持環
５  メモリ
７  スピーカ
９  バッテリ
１１  コントローラチップ
１３  逆電流防止保護回路
１５  インターフェイス
１７  メイン基板
１９  液晶ディスプレイ
２１  電源スイッチ
２３  操作用ボタン
２５  操作用ボタン
２７  ソーラーパネル
２９ａ  印刷部
２９ｂ  印刷部
【図１】
0003173112.tif 000003
【図２】
0003173112.tif 000004
【図３】
0003173112.tif 000005
【図４】
0003173112.tif 000006